(57)【要約】  空気調和機の室内機は、吹出口に設けられる吹出グリルを備える。吹出グリルは、枠体と、枠体の前面に設けられ、第１意匠面を有する意匠部材と、第２意匠面を有する付加装置が取り付けられる、少なくとも１つの取付部と、を有する。取付部は意匠部材の裏面の端部の一部に設けられている。付加装置が取付部に取り付けられない場合、第１意匠面が吹出グリルの意匠面を形成する。付加装置が取付部に取り付けられた場合、第１意匠面は第２意匠面と共に吹出グリルの意匠面を形成する。
2020240849.tif 000002
【特許請求の範囲】
【請求項１】
吹出口に設けられる吹出グリルを備え、
前記吹出グリルは、
枠体と、
前記枠体の前面に設けられ、第１意匠面を有する意匠部材と、
第２意匠面を有する付加装置が取り付けられる、少なくとも１つの取付部と、を有し、
前記取付部は前記意匠部材の裏面の端部の一部に設けられており、
前記付加装置が前記取付部に取り付けられない場合、前記第１意匠面が前記吹出グリルの意匠面を形成し、
前記付加装置が前記取付部に取り付けられた場合、前記第１意匠面は前記第２意匠面と共に前記吹出グリルの意匠面を形成するよう構成されている空気調和機の室内機。
【請求項２】
前記取付部は上下方向に延びる板状部材を有しており、
前記付加装置が前記取付部に取り付けられている状態において、前記付加装置に形成されたネジ穴に前記吹出グリルの背面から挿入されたネジ部材が前記板状部材に固定されている請求項１に記載の空気調和機の室内機。
【請求項３】
前記取付部は前記付加装置の第１被係合部と係合する第１係合部を有しており、
前記付加装置が前記取付部に取り付けられるとき、前記第１係合部と前記第１被係合部が係合することにより、前記付加装置の上下方向の位置が確定される請求項１又は２に記載の空気調和機の室内機。
【請求項４】
前記第１係合部は前記取付部において前記吹出グリルの前面から背面へ向かう方向へ突出する突起部であり、
前記第１被係合部は前記付加装置に形成された穴である請求項３に記載の空気調和機の室内機。
【請求項５】
前記付加装置の第２被係合部と係合する第２係合部を有し、
前記付加装置が前記取付部に取り付けられるとき、前記第２係合部と前記第２被係合部が係合することにより、前記付加装置の下方向へのずれが抑制される請求項１〜４のいずれか一項に記載の空気調和機の室内機。
【請求項６】
さらに、前記枠体に配置される羽根部材と、前記羽根部材を駆動する駆動装置であって、前記枠体の裏面に設けられた駆動装置と、前記駆動装置を背面から覆うカバーとを備え、
前記第２係合部は、前記カバーに形成された凹部であり、
前記第２被係合部は、前記付加装置に設けられた爪である請求項５に記載の空気調和機の室内機。
【請求項７】
空気調和機の室内機に付加的に取り付けられる付加装置であって、
前記室内機の吹出グリルの裏面の端部の一部に形成された取付部に固定される被取付部であって、前記付加装置の端部の一部に設けられた被取付部と、
前記取付部に固定されたとき、前記吹出グリルの意匠面の一部を構成する意匠面とを有している室内機の付加装置。
【請求項８】
空調制御のために用いられるセンサと、前記センサを保持する板状の保持部材とを備え、
前記保持部材の一方の面に前記意匠面が形成され、
前記被取付部は、前記保持部材において前記意匠面と反対側の面に設けられている請求項７に記載の室内機の付加装置。
【請求項９】
前記被取付部にはネジ穴が形成されており、前記ネジ穴に挿入されたネジ部材が前記取付部に固定されることにより、前記吹出グリルに固定される請求項８に記載の室内機の付加装置。
【請求項１０】
前記被取付部は、前記取付部に設けられた第１係合部と係合する第１被係合部を有しており、
前記付加装置が前記吹出グリルに取り付けられるとき、前記第１被係合部が前記第１係合部と係合することにより、前記保持部材の上下方向の位置が確定される請求項８又は９に記載の室内機の付加装置。
【請求項１１】
前記第１被係合部は、前記被取付部に形成された穴であって、前記取付部において前記吹出グリルの前面から背面へ向かう方向へ突出する突起部が挿入される穴である請求項１０に記載の室内機の付加装置。
【請求項１２】
前記取付部に設けられた第２係合部と係合する第２被係合部を有しており、
前記付加装置が前記取付部に取り付けられるとき、前記第２被係合部が前記第２係合部と係合することにより、前記保持部材の下方向へのずれが抑制される請求項８〜１１のいずれか一項に記載の室内機の付加装置。
【請求項１３】
前記第２被係合部は、前記付加装置において外側に向かって突出する爪であって、前記第２係合部に形成されている凹部に係合する爪である請求項１２に記載の室内機の付加装置。
【請求項１４】
前記反対側の面において、前記被取付部が設けられている端部と前記被取付部が設けられていない端部との間に延びる補強部材を有し、
前記爪は、前記補強部材に設けられている請求項１３に記載の室内機の付加装置。
【請求項１５】
吹出口に設けられる吹出グリルと、
前記吹出グリルに取り付けられている付加装置とを備え、
前記吹出グリルは、枠体と、前記枠体の前面に設けられ、第１意匠面を有する意匠部材と、前記付加装置が取り付けられている少なくとも１つの取付部とを有し、
前記付加装置は、前記取付部に取り付けられる少なくとも１つの被取付部と、第２意匠面とを有し、
前記取付部は前記意匠部材の裏面の端部の一部に設けられており、
前記第１意匠面と前記第２意匠面とで前記吹出グリルの意匠面が形成されている空気調和機の室内機。
【請求項１６】
前記付加装置が前記取付部に取り付けられた状態において、前記第１意匠面と前記第２意匠面は同一平面を形成している請求項１５に記載の空気調和機の室内機。
【請求項１７】
前記第１意匠面の上下方向の長さと前記第２意匠面の上下方向の長さは同一である請求項１５又は１６に記載の空気調和機の室内機。
【請求項１８】
前記付加装置は、空調制御のために用いられるセンサと、前記センサを保持し、前記第２意匠面を有する保持部材とを含み、
前記被取付部は前記保持部材において、前記第２意匠面と反対側の面に設けられている請求項１５〜１７のいずれか一項に記載の空気調和機の室内機。
【発明の詳細な説明】
【技術分野】
【０００１】
本発明は、空気調和機の室内機に関するものであり、特に吹出グリルに関するものである。
【背景技術】
【０００２】
従来、空気調和機の室内機の筐体には、空調された気体を空調対象の空間に吹き出す吹出口が形成され、吹出口には吹出グリルが設けられている。吹出グリルは、気体の吹き出し方向を調整するための羽根部材と、この羽根部材を駆動するための駆動装置とを含んでいる。特許文献１には、天井埋込型の室内機に設けられる長尺部材の吹出グリルが記載されている。特許文献１の吹出グリルは、長手方向の両端部のうちの一方の端部にワイヤボックスが付加的に取り付けられたタイプのものである。ワイヤボックスの上部にはワイヤボックスカバーが設けられている。
【先行技術文献】
【特許文献】
【０００３】
【特許文献１】中国実用新案公告第２０６２２２６３９号明細書
【発明の概要】
【発明が解決しようとする課題】
【０００４】
特許文献１において、筐体と蓋体とで構成されている意匠面とワイヤボックスカバーの意匠面は、異質の態様を示している。そのため、特許文献１の吹出グリルが設けられる室内機は、使用者に視覚的な不統一感を与えてしまう。すなわち、特許文献１の吹出グリルは、意匠性の点で課題がある。一方、例えば空調制御を行うための装置を付加的に取り付ける場合の意匠性を考慮し、例えば、意匠面を形成する部材の長手方向の長さが、横フィンの長手方向の長さと付加装置の横方向の長さとを含めた長さとなるよう、吹出グリルを形成することが考えられる。しかしながら、この場合、吹出グリルが長手方向において大型化することが懸念される。【０００５】
本発明は、上記のような課題を解決するためになされたものであり、吹出グリルの大型化を抑制しつつ意匠性を向上させた空気調和機の室内機、及び室内機の付加装置を提供することを目的とする。
【課題を解決するための手段】
【０００６】
本発明に係る空気調和機の室内機は、吹出口に設けられる吹出グリルを備え、前記吹出グリルは、枠体と、前記枠体の前面に設けられ、第１意匠面を有する意匠部材と、第２意匠面を有する付加装置が取り付けられる、少なくとも１つの取付部と、を有し、前記取付部は前記意匠部材の裏面の端部の一部に設けられており、前記付加装置が前記取付部に取り付けられない場合、前記第１意匠面が前記吹出グリルの意匠面を形成し、前記付加装置が前記取付部に取り付けられた場合、前記第１意匠面は前記第２意匠面と共に前記吹出グリルの意匠面を形成するよう構成されているものである。【０００７】
本発明に係る室内機の付加装置は、空気調和機の室内機に付加的に取り付けられる付加装置であって、前記室内機の吹出グリルの裏面の端部の一部に形成された取付部に固定される被取付部であって、前記付加装置の端部の一部に設けられた被取付部と、前記取付部に固定されたとき、前記吹出グリルの意匠面の一部を構成する意匠面とを有している。【０００８】
本発明に係る空気調和機の室内機は、吹出口に設けられる吹出グリルと、前記吹出グリルに取り付けられている付加装置とを備え、前記吹出グリルは、枠体と、前記枠体の前面に設けられ、第１意匠面を有する意匠部材と、前記付加装置が取り付けられている少なくとも１つの取付部とを有し、前記付加装置は、前記取付部に取り付けられる少なくとも１つの被取付部と、第２意匠面とを有し、前記取付部は前記意匠部材の裏面の端部の一部に設けられており、前記第１意匠面と前記第２意匠面とで前記吹出グリルの意匠面が形成されているものである。
【発明の効果】
【０００９】
本発明に係る空気調和機の室内機によれば、吹出グリルは意匠面を有する意匠部材を有しているため、付加装置を吹出グリルに取り付けない場合、意匠部材のみで吹出グリルの意匠面が構成される。また、本発明に係る室内機の付加装置によれば、付加装置を吹出グリルに取り付けた場合、吹出グリルの意匠部材と付加装置の意匠面とで、吹出グリルの意匠面が構成される。従って、吹出グリルの大型化を抑制しつつ、吹出グリルの意匠性を向上させることができる。
【図面の簡単な説明】
【００１０】
【図１】実施の形態における、付加装置が取り付けられていない空気調和機の室内機の斜視図である。
【図２】実施の形態における、付加装置が取り付けられていない空気調和機の室内機の正面図である。
【図３】実施の形態における、付加装置が取り付けられていない空気調和機の室内機の平面図である。
【図４】実施の形態における、付加装置が取り付けられていない空気調和機の室内機の側面図である。
【図５】実施の形態における空気調和機の室内機の吹出グリルの分解斜視図である。
【図６】実施の形態における空気調和機の室内機の吹出グリルの正面図である。
【図７】実施の形態における空気調和機の室内機の吹出グリルの背面図である。
【図８】吹出グリルの意匠パネルの裏面において取付部が設けられている端部を拡大して示す背面図である。
【図９】吹出グリルの意匠パネルの裏面において取付部が設けられている端部を拡大して示す斜視図である。
【図１０】実施の形態における付加装置の正面図である。
【図１１】実施の形態における付加装置の斜視図である。
【図１２】実施の形態における付加装置の背面図である。
【図１３】実施の形態における付加装置の平面図である。
【図１４】実施の形態における、付加装置が取り付けられている空気調和機の室内機の斜視図である。
【図１５】実施の形態における、付加装置が取り付けられている空気調和機の室内機の正面図である。
【図１６】実施の形態における、付加装置が取り付けられている空気調和機の室内機の平面図である。
【図１７】実施の形態における、付加装置が取り付けられている空気調和機の室内機の背面図である。
【図１８】実施の形態における、付加装置が取り付けられている空気調和機の室内機の側面図である。
【図１９】実施の形態における、付加装置の取付部分を背面から示す拡大図である。
【発明を実施するための形態】
【００１１】
以下、空気調和機の室内機の実施の形態を、図面を参照して説明する。本発明は、以下の実施の形態に限定されるものではなく、本発明の主旨を逸脱しない範囲で種々に変形することが可能である。また、本発明は、以下の各実施の形態に示す構成のうち、組合せ可能な構成のあらゆる組合せを含むものである。また、図面に示す空気調和機の室内機は、本発明の空気調和機の室内機が適用される機器の一例を示すものであり、図面に示された空気調和機の室内機によって本発明の空気調和機の室内機が限定されるものではない。同様に、図面に示す室内機のセンサモジュールは、本発明の室内機のセンサモジュールが適用される機器の一例を示すものであり、図面に示された室内機のセンサモジュールによって本発明の室内機のセンサモジュールが限定されるものではない。また、以下の説明において、理解を容易にするために方向を表す用語（例えば「上」、「下」、「右」、「左」、「前」、「後」など）を適宜用いるが、これらは説明のためのものであって、本発明を限定するものではない。また、各図において、同一の符号を付したものは、同一の又はこれに相当するものであり、これは明細書の全文において共通している。尚、各図面では、各構成部材の相対的な寸法関係又は形状等が実際のものとは異なる場合がある。
【００１２】
実施の形態．
図１は、実施の形態における、付加装置が取り付けられていない空気調和機の室内機の斜視図である。図２は、実施の形態における、付加装置が取り付けられていない空気調和機の室内機の正面図である。図３は、実施の形態における、付加装置が取り付けられていない空気調和機の室内機の平面図である。図４は、実施の形態における、付加装置が取り付けられていない空気調和機の室内機の側面図である。実施の形態における室内機は、空調対象の空間を暖房、冷房、及び加除湿などをするために、天井裏などに設置される天井埋込型の室内機である。尚、付加装置については後述する。
【００１３】
本実施の形態の室内機１は、直方体形状を有する筐体１０を備えている。筐体１０は、上面部１１、底面部１２、並びに４つの側面部１３Ａ、１３Ｂ、１３Ｃ、及び１３Ｄを有している。筐体１０の側面部１３Ａには、不図示の吹出口が設けられている。吹出口の形状は例えば矩形である。側面部１３Ａには、吹出グリル２０が設けられている。側面部１３Ａと反対側の側面部１３Ｂには、不図示の吸込口が設けられている。吸込口は例えば矩形である。側面部１３Ａ及び側面部１３Ｂと交差する側面部１３Ｃには、金具１４Ａ及び金具１４Ｂが設けられている。側面部１３Ａ及び側面部１３Ｂと交差し、側面部１３Ｃと反対側に位置する側面部１３Ｄには、金具１４Ｃ及び金具１４Ｄが設けられている。室内機１は、金具１４Ａ、金具１４Ｂ、金具１４Ｃ、及び金具１４Ｄを介して、空調対象の室内の天井裏に取り付けられる。
【００１４】
筐体１０内には、不図示のファン、ファンモータ、及び熱交換器が収容されている。熱交換器は、上述の側面部１３Ｂの吸込口から上述の側面部１３Ａの吹出口までに形成された風路に配置されている。ファンモータが駆動され、ファンが動作されると、上述の側面部１３Ｂの吸込口から空気が吸い込まれる。吸込口から吸い込まれた空気は、熱交換器において熱交換器の不図示の伝熱管を流れる冷媒と熱交換され、上述の側面部１３Ａの吹出口へ導かれる。吹出口へ導かれた空気は、吹出グリル２０を介して、室内に供給される。
【００１５】
ここで、室内機１において、吹出口が設けられた側面部１３Ａを正面とする。そして、室内機１を正面側から見て上下となる方向を、高さ方向又は上下方向とする。左右とは室内機１を正面側から見ていることを前提とする。また、左右となる方向を、幅方向とし、前後となる方向を、前後方向又は奥行き方向とする。
【００１６】
図５は、実施の形態における空気調和機の室内機の吹出グリルの分解斜視図である。図６は、実施の形態における空気調和機の室内機１の吹出グリルの正面図である。図７は、実施の形態における空気調和機の室内機の吹出グリルの背面図である。吹出グリル２０は、枠体３０と意匠パネル４０とを有している。意匠パネル４０は枠体３０の前面側に設けられている、吹出グリル２０の意匠部材である。意匠パネル４０の表面である面４０Ａは意匠面として形成されている。意匠パネル４０の上端部４１は、横方向の全体に亘って面取りされている。意匠パネル４０の下端部４２は、横方向の全体に亘って面取りされている。図６に示すように、意匠パネル４０の面４０Ａは左右対称となっている。枠体３０の開口部３０Ａには、仕切板３１が設けられている。仕切板３１は、開口部３０Ａを構成している枠体３０の内壁面のうち、上部の内壁面及び下部の内壁面に取り付けられている。仕切板３１は、開口部３０Ａを横方向に並ぶ２つの領域に区画している。
【００１７】
吹出グリル２０は、羽根部材である複数の水平羽根５０と複数の垂直羽根６０とを有している。複数の水平羽根５０は、板状部材であり、長手方向が横方向に延びるよう、複数の垂直羽根６０の前面に配置されている。複数の水平羽根５０は、横方向において間隔を空けて配置されている。複数の水平羽根５０は、それぞれ横方向に延びる軸周りに回動可能に設けられている。複数の垂直羽根６０は、板状部材であり、長手方向が上下方向に延びるよう、開口部３０Ａに配置されている。複数の垂直羽根６０は、それぞれ、上下方向に延びる軸周りに回動可能に設けられている。
【００１８】
駆動装置７０は、複数の水平羽根５０及び複数の垂直羽根６０を駆動し、回動させるための装置である。駆動装置７０は、意匠パネル４０の裏面の端部の一部に設けられている。駆動装置７０は、意匠パネル４０の裏面において、長手方向の両端部のうち吹出グリル２０の右端部の側に位置する端部に配置されている。図７に示すように、駆動装置７０はカバー８０により背面から覆われている。カバー８０は、ネジ部材であるネジ８１及びネジ８２により枠体３０に固定され、ネジ８３及びネジ８４により、意匠パネル４０に固定されている。尚、図５においてカバー８０は省略されている。また、図７において、図の複雑化を避けるため、複数の水平羽根５０のうち最も下方に配置されているものにのみ符号を付し、複数の垂直羽根６０のうちカバー８０に最も近い位置に配置されているものにのみ符号を付している。
【００１９】
図７に示すように、意匠パネル４０の背面において、カバー８０が配置されている側の端部には、取付部９０Ａ及び取付部９０Ｂが設けられている。取付部９０Ａ及び取付部９０Ｂは、後述する付加装置が取り付けられるものである。上述のように、カバー８０は図５に示す駆動装置７０を覆っている。すなわち、取付部９０Ａ及び取付部９０Ｂは、意匠パネル４０の背面において、駆動装置７０が配置されている側の端部に設けられている。取付部９０Ａ及び取付部９０Ｂは、駆動装置７０及びカバー８０と、図７中、左側に位置している意匠パネル４０の右縁部との間に設けられている。取付部９０Ａは意匠パネル４０の上部に設けられ、取付部９０Ｂは意匠パネル４０の下部に設けられている。
【００２０】
図８は、意匠パネルの裏面において取付部が設けられている端部を拡大して示す背面図である。図９は、意匠パネルの裏面において取付部が設けられている端部を拡大して示す斜視図である。取付部９０Ａは、取付板９１Ａと、支持枠９２Ａと、第１係合部である突起部９３Ａとを有している。支持枠９２Ａは、背面側の面が意匠パネル４０の裏面と前後方向において同一の面に位置するよう設けられている。取付板９１Ａは板状部材である。取付板９１Ａは、支持枠９２Ａの内壁面に形成された溝に嵌め込まれている。従って、図９に示すように、取付板９１Ａは、支持枠９２Ａの背面側の面から溝までの前後方向の長さの分、前後方向において前面側にシフトして配置されている。また、取付板９１Ａは、平面部が上下方向に延びるよう配置されている。取付板９１Ａは支持枠９２Ａから取り外し可能である。取付板９１Ａにはネジ穴９４Ａが形成されている。突起部９３Ａは、取付板９１Ａの上方に配置されている。突起部９３Ａは、意匠パネル４０の前面から背面に向かって突出している。
【００２１】
取付部９０Ｂは、取付板９１Ｂと、支持枠９２Ｂと、第１係合部である突起部９３Ｂとを有している。支持枠９２Ｂは支持枠９２Ａと同様、背面側の面が意匠パネル４０の裏面と前後方向において同一の面に位置するよう設けられている。取付板９１Ｂは取付板９１Ｂと同様、板状部材である。取付板９１Ｂは、支持枠９２Ｂの内壁面に形成された溝に嵌め込まれている。従って、図９に示すように、取付板９１Ｂは、支持枠９２Ｂの背面側の面から溝までの前後方向の長さの分、前後方向において前面側にシフトして配置されている。また、取付板９１Ｂは、取付板９１Ａと同様、平面部が上下方向に延びるよう配置されている。取付板９１Ｂは支持枠９２Ｂから取り外し可能である。取付板９１Ｂにはネジ穴９４Ｂが形成されている。突起部９３Ｂは、取付板９１Ｂの下方に配置されている。突起部９３Ｂは、突起部９３Ａと同様、意匠パネル４０の前面から背面に向かって突出している。
【００２２】
カバー８０には、第２係合部である第１凹部８５及び第２凹部８６が形成されている。第１凹部８５及び第２凹部８６は、カバー８０の背面から意匠パネル４０の前面に向かって、前後方向の略中央まで延びる段部である。第１凹部８５と第２凹部８６は、上下方向において間隔を空けて形成されている。
【００２３】
図１０は、実施の形態における付加装置の正面図である。図１１は、実施の形態における付加装置の斜視図である。図１２は、実施の形態における付加装置の背面図である。図１３は、実施の形態における付加装置の平面図である。付加装置１００は、上述の室内機１の吹出グリル２０に付加的に取り付けられる装置である。付加装置１００は、センサ１０１部と、センサ部１０１を保持する保持部材１１０とを有している。センサ部１０１は、室内機１が設けられる室内の空調制御のために用いられる。本実施の形態において、保持部材１１０は、室内に人間が存在するか否かを赤外線により検知する人感センサ１０２を保持している。センサ部１０１は、人感センサ１０２の検知結果に基づいて、室内に人間が存在するか否かを判断するよう構成されている。尚、センサ部１０１は、例えば撮像素子を有し、撮像素子により取得した熱画像によって室内に人間が存在するか否かを検知する構成であってもよい。また、センサ部１０１は、例えば室内の温度を検知する温度センサを有する構成でもよい。すなわち、付加装置１００とは、吹出グリル２０が有している気体を室内に供給するという機能に加えて、更なる機能を提供するために、吹出グリル２０に付加的に取り付けられる装置である。
【００２４】
保持部材１１０は板状部材であり、矩形の形状を有している。保持部材１１０の表面、すなわち前面側の面１１０Ａは意匠面である。センサ部１０１は、保持部材１１０の面１１０Ａに設けられている。保持部材１１０の上端部１１１は、横方向の全体に亘って面取りされている。保持部材１１０の下端部１１２は、横方向の全体に亘って面取りされている。前面視で保持部材１１０の左端部には、被取付部１２０Ａと被取付部１２０Ｂとが設けられている。被取付部１２０Ａは保持部材１１０の上部に設けられ、被取付部１２０Ｂは保持部材１１０の下部に設けられている。
【００２５】
被取付部１２０Ａは、図７〜９に示す上述の取付部９０Ａに取り付けられるものである。被取付部１２０Ａには、ネジ穴１２１Ａと、第１被係合部である位置決め穴１２２Ａとが形成されている。位置決め穴１２２Ａは、ネジ穴１２１Ａの上方に形成されている。被取付部１２０Ｂは、図７〜９に示す上述の取付部９０Ｂに取り付けられるものである。被取付部１２０Ｂには、ネジ穴１２１Ｂと、第１被係合部である位置決め穴１２２Ｂが形成されている。位置決め穴１２２Ｂは、ネジ穴１２１Ｂの下方に形成されている。
【００２６】
保持部材１１０において、意匠面の面１１０Ａと反対側の面である面１１０Ｂには補強部材１１３が設けられている。補強部材１１３は、支持部１１４と、複数の補強リブ１１５と、連結板１１６とを有している。支持部１１４は、直方体の形状を有している。複数の補強リブ１１５は、上下方向において間隔を空けて配置されている。補強リブ１１５は、それぞれ、支持部１１４の背面と左端面とで支持されている。図１１及び図１３に示すように、補強リブ１１５は、それぞれ、前後方向の長さが支持部１１４の右端から左端に向かって次第に大きくなるよう形成されている。複数の補強リブ１１５は左端部において、連結板１１６に固定されている。
【００２７】
連結板１１６において、複数の補強リブ１１５が固定されている面と反対側の面には、横方向において外側に延びる第２被係合部である爪１１７Ａ及び爪１１７Ｂが設けられている。爪１１７Ａと爪１１７Ｂは、上下方向において間隔をおいて設けられている。爪１１７Ａは爪１１７Ｂの上方に設けられている。
【００２８】
図１４は、実施の形態における、付加装置が取り付けられている空気調和機の室内機の斜視図である。図１５は、実施の形態における、付加装置が取り付けられている空気調和機の室内機の正面図である。図１６は、実施の形態における、付加装置が取り付けられている空気調和機の室内機の平面図である。図１７は、実施の形態における、付加装置が取り付けられている空気調和機の室内機の背面図である。図１８は、実施の形態における、付加装置が取り付けられている空気調和機の室内機の側面図である。図１９は、実施の形態における、付加装置の取付部分を背面から示す拡大図である。
【００２９】
付加装置１００は以下のように吹出グリル２０に取り付けられている。付加装置１００の被取付部１２０Ａのネジ穴１２１Ａには、背面からネジ１３０が挿入されている。そして、ネジ１３０は吹出グリル２０の意匠パネル４０の取付板９１Ａの、図８及び図９に示すネジ穴９４Ａに螺号しており、これにより被取付部１２０Ａは取付板９１Ａに固定されている。同様に、付加装置１００の被取付部１２０Ｂのネジ穴１２１Ｂには、背面からネジ１３１が挿入されている。そして、ネジ１３１は吹出グリル２０の取付部９０Ｂの取付板９１Ｂの、図８及び図９に示すネジ穴９４Ｂに螺号しており、これにより被取付部１２０Ａは取付板９１Ａに固定されている。
【００３０】
このとき、図１２に示す付加装置１００の被取付部１２０Ａの位置決め穴１２２Ａに、図８に示す吹出グリル２０の取付部９０Ａの突起部９３Ａが係合している。また、図１２に示す付加装置１００の被取付部１２０Ｂの位置決め穴１２２Ｂに、図８に示す吹出グリル２０の取付部９０Ｂの突起部９３Ｂが係合している。突起部９３Ａと位置決め穴１２２Ａが係合し、突起部９３Ｂと位置決め穴１２２Ｂが係合した状態で、意匠パネル４０の上端部と保持部材１１０の上端部の位置が一致し、意匠パネル４０の下端部と保持部材１１０の下端部の位置が一致している。換言すると、突起部９３Ａと位置決め穴１２２Ａが係合したとき、意匠パネル４０の上端部と保持部材１１０の上端部の上下方向における位置が一致するよう、意匠パネル４０の上端部から突起部９３Ａまでの上下方向と平行な長さは、設定されている。同様に、突起部９３Ｂと位置決め穴１２２Ｂが係合したとき、意匠パネル４０の下端部と保持部材１１０の下端部の位置の上下方向における位置が一致するよう、意匠パネル４０の下端部から突起部９３Ｂまでの上下方向と平行な長さは、設定されている。
【００３１】
また、図１７及び図１９に示されるように、吹出グリル２０のカバー８０の第１凹部８５と付加装置１００の爪１１７Ａが係合し、吹出グリル２０のカバー８０の第２凹部８６と付加装置１００の爪１１７Ｂが係合している。
【００３２】
付加装置１００が吹出グリル２０に取り付けられた状態において、吹出グリル２０の意匠パネル４０の面４０Ａと付加装置１００の保持部材１１０の面１１０Ａとで、吹出グリル２０の意匠面を形成している。面４０Ａと面１１０Ａとで形成されている意匠面は、以下の点で統一感を有している。
【００３３】
意匠パネル４０の上端部４１の面取りの態様と、保持部材１１０の上端部１１１の面取りの態様が同様であり、かつ、意匠パネル４０の下端部４２の面取りの態様と、保持部材１１０の下端部１１２の面取りの態様が同様である。すなわち、上端部４１の面取りの角度及び上下方向の長さと、上端部１１１の面取りの角度及び上下方向の長さが同一である。また、下端部４２の面取りの角度及び上下方向の長さと、下端部１１２の面取りの角度及び上下方向の長さが同一である。また、意匠パネル４０の上下方向の長さと保持部材１１０の上下方向の長さが同一である。換言すると面４０Ａの上下方向の長さと面１１０Ａの上下方向の長さが同一である。また、図１６に示されるように、意匠パネル４０の面４０Ａと保持部材１１０の面１１０Ａは同一平面を形成している。
【００３４】
ここで、付加装置１００を吹出グリル２０に取り付ける手順について説明する。まず、作業者は、吹出グリル２０において、取付部９０Ａの支持枠９２Ａに取付板９１Ａを嵌め込み、取付部９０Ｂの支持枠９２Ｂに取付板９１Ｂを嵌め込む。
【００３５】
次に、作業者は、付加装置１００の被取付部１２０Ａの位置決め穴１２２Ａを吹出グリル２０の取付部９０Ａの突起部９３Ａに近づけると共に、付加装置１００の被取付部１２０Ｂの位置決め穴１２２Ｂを吹出グリル２０の取付部９０Ｂの突起部９３Ｂに近づける。そして、作業者は、位置決め穴１２２Ａに突起部９３Ａを挿入させると共に、位置決め穴１２２Ｂに突起部９３Ｂを挿入させる。
【００３６】
次いで、作業者は、付加装置１００の被取付部１２０Ａのネジ穴１２１Ａに、背面からネジ１３０を回し入れ、さらにネジ１３０を吹出グリル２０の取付部９０Ａの取付板９１Ａに螺着させる。同様に、作業者は、付加装置１００の被取付部１２０Ｂのネジ穴１２１Ｂに、背面からネジ１３１を回し入れ、さらにネジ１３１を吹出グリル２０の取付部９０Ｂの取付板９１Ｂに螺着させる。これにより、付加装置１００が吹出グリル２０に取り付けられる。
【００３７】
本実施の形態によれば、取付部９０Ａ及び取付部９０Ｂは、吹出グリル２０の意匠パネル４０の裏面に設けられており、意匠パネル４０の面４０Ａは、左右対称の意匠面となっている。従って、付加装置１００を吹出グリル２０に取り付けない場合、意匠パネル４０のみで吹出グリル２０の意匠面が構成される。また、付加装置１００の保持部材１１０の面１１０Ａの面取りの態様は意匠パネル４０の面４０Ａの面取りの態様と同様であり、面１１０Ａの上下方向の長さは面４０Ａの上下方向の長さと同一である。従って、付加装置１００を吹出グリル２０に取り付けた場合、吹出グリル２０の意匠パネル４０と付加装置１００の保持部材１１０とで、統一感のある吹出グリル２０の意匠面が構成される。すなわち、本実施の形態によれば、吹出グリル２０の大型を抑制しつつ、吹出グリル２０の意匠性を向上させることができる。
【００３８】
本実施の形態によれば、取付部９０Ａ及び取付部９０Ｂは、意匠パネル４０の裏面に設けられており、付加装置１００を取り付けるための部材が、意匠パネル４０の意匠面である面４０Ａ側からは、視認されない。従って、付加装置１００を取り付ける必要のないタイプの室内機にも、吹出グリル２０を用いることができる。すなわち、本実施の形態の吹出グリル２０は、付加装置１００と取り付けるタイプの室内機、及び付加装置１００を取り付けないタイプの室内機の双方に搭載することができ、高い汎用性を有している。
【００３９】
本実施の形態によれば、吹出グリル２０の取付部９０Ａには突起部９３Ａが設けられ、付加装置１００の被取付部１２０Ａには位置決め穴１２２Ａが形成され、突起部９３Ａと位置決め穴１２２Ａが係合するよう構成されている。また、吹出グリル２０の取付部９０Ｂには突起部９３Ｂが設けられ、付加装置１００の被取付部１２０Ｂには位置決め穴１２２Ｂが形成され、突起部９３Ｂと位置決め穴１２２Ｂが係合するよう構成されている。突起部９３Ａと位置決め穴１２２Ａが係合し、突起部９３Ｂと位置決め穴１２２Ｂが係合した状態で、意匠パネル４０の上端部と保持部材１１０の上端部の位置が一致し、意匠パネル４０の下端部と保持部材１１０の下端部の位置が一致するよう構成されている。従って、付加装置１００を吹出グリル２０に取り付けるときの上下方向における付加装置１００の位置決めを容易に行うことができる。その結果、付加装置１００を意匠パネル４０に取り付ける場合、付加装置１００が吹出グリル２０に対して上下方向にずれることが抑制され、吹出グリル２０の意匠性の低下を抑制することができる。
【００４０】
本実施の形態によれば、吹出グリル２０のカバー８０には第１凹部８５が形成され、付加装置１００には爪１１７Ａが設けられ、第１凹部８５と爪１１７Ａが係合するよう構成されている。また、吹出グリル２０のカバー８０には第２凹部８６が形成され、付加装置１００には爪１１７Ｂが設けられ、第２凹部８６と爪１１７Ｂが係合するよう構成されている。従って、付加装置１００を意匠パネル４０に取り付ける工程で、付加装置１００を片持ちで支持する状況において、付加装置１００の自由端が付加装置１００の自重により下方にずれることが抑制される。すなわち、被取付部１２０Ａ及び被取付部１２０Ｂが設けられている端部と反対側の端部が下方にずれた状態で、付加装置１００が意匠パネル４０に固定されることが抑制される。従って、付加装置１００が意匠パネル４０に取り付けられた後の、吹出グリル２０意匠性の低下をより効果的に抑制することができる。
【００４１】
また、第１凹部８５と爪１１７Ａの係合、及び第２凹部８６と爪１１７Ｂの係合により、付加装置１００の取付個所の、上下方向に加えられる外力に対する強度を、ネジ固定の個所を増やすことなく高めることができる。
【００４２】
本実施の形態によれば、付加装置１００は、意匠パネル４０において、水平羽根５０及び垂直羽根６０を駆動する駆動装置７０が設けられている端部に取り付けられるよう構成されている。従って、付加装置１００を取り付けるときのセンサ部１０１の配線の引き回しを駆動装置７０の配線の引き回しと共に行うことができ、高い作業性が得られる。また、配線長の増大を抑制することができる。
【００４３】
本実施の形態において、吹出グリル２０の取付部９０Ａには突起部９３Ａが設けられ、付加装置１００の被取付部１２０Ａには位置決め穴１２２Ａが形成されているが、これに限るものではない。取付部９０Ａに位置決め穴が形成され、被取付部１２０Ａに突起部が設けられていてもよい。同様に、吹出グリル２０の取付部９０Ｂに位置決め穴が形成され、付加装置１００の被取付部１２０Ｂに突起部が設けられていてもよい。
【符号の説明】
【００４４】
１  室内機、１０  筐体、１１  上面部、１２  底面部、１３Ａ  側面部、１３Ｂ  側面部、１３Ｃ  側面部、１３Ｄ  側面部、１４Ａ  金具、１４Ｂ  金具、１４Ｃ  金具、１４Ｄ  金具、２０  吹出グリル、３０  枠体、３０Ａ  開口部、３１  仕切板、４０  意匠パネル、４０Ａ  面、４１  上端部、４２  下端部、５０  水平羽根、６０  垂直羽根、７０  駆動装置、８０  カバー、８１  ネジ、８２  ネジ、８３  ネジ、８４  ネジ、８５  第１凹部、８６  第２凹部、９０Ａ  取付部、９０Ｂ  取付部、９１Ａ  取付板、９１Ｂ  取付板、９２Ａ  支持枠、９２Ｂ  支持枠、９３Ａ  突起部、９３Ｂ  突起部、９４Ａ  ネジ穴、９４Ｂ  ネジ穴、１００  付加装置、１０１  センサ部、１０２  人感センサ、１１０  保持部材、１１０Ａ  面、１１０Ｂ  面、１１１  上端部、１１２  下端部、１１３  補強部材、１１４  支持部、１１５  補強リブ、１１６  連結板、１１７Ａ  爪、１１７Ｂ  爪、１２０Ａ  被取付部、１２０Ｂ  被取付部、１２１Ａ  ネジ穴、１２１Ｂ  ネジ穴、１２２Ａ  位置決め穴、１２２Ｂ  位置決め穴、１３０  ネジ、１３１  ネジ。
【図１】
2020240849.tif 000003
【図２】
2020240849.tif 000004
【図３】
2020240849.tif 000005
【図４】
2020240849.tif 000006
【図５】
2020240849.tif 000007
【図６】
2020240849.tif 000008
【図７】
2020240849.tif 000009
【図８】
2020240849.tif 000010
【図９】
2020240849.tif 000011
【図１０】
2020240849.tif 000012
【図１１】
2020240849.tif 000013
【図１２】
2020240849.tif 000014
【図１３】
2020240849.tif 000015
【図１４】
2020240849.tif 000016
【図１５】
2020240849.tif 000017
【図１６】
2020240849.tif 000018
【図１７】
2020240849.tif 000019
【図１８】
2020240849.tif 000020
【図１９】
2020240849.tif 000021
【手続補正書】
【提出日】令和3年8月18日(2021.8.18)
【手続補正１】
【補正対象書類名】明細書
【補正対象項目名】０００６
【補正方法】変更
【補正の内容】
【０００６】
本発明に係る空気調和機の室内機は、吹出口に設けられる吹出グリルを備え、前記吹出グリルは、枠体と、前記枠体の前面に設けられ、第１意匠面を有する意匠部材と、第２意匠面を有する付加装置が取り付けられる、少なくとも１つの取付部と、を有し、前記取付部は前記意匠部材の裏面の端部の一部に設けられており、前記付加装置が前記取付部に取り付けられない場合、前記第１意匠面が前記吹出グリルの意匠面を形成し、前記付加装置が前記取付部に取り付けられた場合、前記第１意匠面は前記第２意匠面と共に前記吹出グリルの意匠面を形成するよう構成されており、前記取付部は前記付加装置の第１被係合部と係合する第１係合部を有しており、前記付加装置が前記取付部に取り付けられるとき、前記第１係合部と前記第１被係合部が係合することにより、前記付加装置の上下方向の位置が確定されるものである。
【手続補正２】
【補正対象書類名】明細書
【補正対象項目名】０００７
【補正方法】変更
【補正の内容】
【０００７】
本発明に係る室内機の付加装置は、空気調和機の室内機に付加的に取り付けられる付加装置であって、前記室内機の吹出グリルの裏面の端部の一部に形成された取付部に固定される被取付部であって、前記付加装置の端部の一部に設けられた被取付部と、前記取付部に固定されたとき、前記吹出グリルの意匠面の一部を構成する意匠面と、空調制御のために用いられるセンサと、前記センサを保持する板状の保持部材と、を備え、前記保持部材の一方の面に前記意匠面が形成され、前記被取付部は、前記保持部材において前記意匠面と反対側の面に設けられている。
【手続補正３】
【補正対象書類名】明細書
【補正対象項目名】０００８
【補正方法】変更
【補正の内容】
【０００８】
本発明に係る空気調和機の室内機は、吹出口に設けられる吹出グリルと、前記吹出グリルに取り付けられている付加装置とを備え、前記吹出グリルは、枠体と、前記枠体の前面に設けられ、第１意匠面を有する意匠部材と、前記付加装置が取り付けられている少なくとも１つの取付部とを有し、前記付加装置は、前記取付部に取り付けられる少なくとも１つの被取付部と、第２意匠面とを有し、前記取付部は前記意匠部材の裏面の端部の一部に設けられており、前記第１意匠面と前記第２意匠面とで前記吹出グリルの意匠面が形成され、前記付加装置は、空調制御のために用いられるセンサと、前記センサを保持し、前記第２意匠面を有する保持部材とを含み、前記被取付部は前記保持部材において、前記第２意匠面と反対側の面に設けられているものである。
【手続補正４】
【補正対象書類名】特許請求の範囲
【補正対象項目名】全文
【補正方法】変更
【補正の内容】
【特許請求の範囲】
【請求項１】
吹出口に設けられる吹出グリルを備え、
前記吹出グリルは、
枠体と、
前記枠体の前面に設けられ、第１意匠面を有する意匠部材と、
第２意匠面を有する付加装置が取り付けられる、少なくとも１つの取付部と、を有し、
前記取付部は前記意匠部材の裏面の端部の一部に設けられており、
前記付加装置が前記取付部に取り付けられない場合、前記第１意匠面が前記吹出グリルの意匠面を形成し、
前記付加装置が前記取付部に取り付けられた場合、前記第１意匠面は前記第２意匠面と共に前記吹出グリルの意匠面を形成するよう構成されており、
前記取付部は前記付加装置の第１被係合部と係合する第１係合部を有しており、
前記付加装置が前記取付部に取り付けられるとき、前記第１係合部と前記第１被係合部が係合することにより、前記付加装置の上下方向の位置が確定される空気調和機の室内機。
【請求項２】
前記取付部は上下方向に延びる板状部材を有しており、
前記付加装置が前記取付部に取り付けられている状態において、前記付加装置に形成されたネジ穴に前記吹出グリルの背面から挿入されたネジ部材が前記板状部材に固定されている請求項１に記載の空気調和機の室内機。
【請求項３】
前記第１係合部は前記取付部において前記吹出グリルの前面から背面へ向かう方向へ突出する突起部であり、
前記第１被係合部は前記付加装置に形成された穴である請求項１又は２に記載の空気調和機の室内機。
【請求項４】
前記付加装置の第２被係合部と係合する第２係合部を有し、
前記付加装置が前記取付部に取り付けられるとき、前記第２係合部と前記第２被係合部が係合することにより、前記付加装置の下方向へのずれが抑制される請求項１〜３のいずれか一項に記載の空気調和機の室内機。
【請求項５】
さらに、前記枠体に配置される羽根部材と、前記羽根部材を駆動する駆動装置であって、前記枠体の裏面に設けられた駆動装置と、前記駆動装置を背面から覆うカバーとを備え、
前記第２係合部は、前記カバーに形成された凹部であり、
前記第２被係合部は、前記付加装置に設けられた爪である請求項４に記載の空気調和機の室内機。
【請求項６】
空気調和機の室内機に付加的に取り付けられる付加装置であって、
前記室内機の吹出グリルの裏面の端部の一部に形成された取付部に固定される被取付部であって、前記付加装置の端部の一部に設けられた被取付部と、
前記取付部に固定されたとき、前記吹出グリルの意匠面の一部を構成する意匠面と、
空調制御のために用いられるセンサと、
前記センサを保持する板状の保持部材と、を備え、
前記保持部材の一方の面に前記意匠面が形成され、
前記被取付部は、前記保持部材において前記意匠面と反対側の面に設けられている室内機の付加装置。
【請求項７】
前記被取付部にはネジ穴が形成されており、前記ネジ穴に挿入されたネジ部材が前記取付部に固定されることにより、前記吹出グリルに固定される請求項６に記載の室内機の付加装置。
【請求項８】
前記被取付部は、前記取付部に設けられた第１係合部と係合する第１被係合部を有しており、
前記付加装置が前記吹出グリルに取り付けられるとき、前記第１被係合部が前記第１係合部と係合することにより、前記保持部材の上下方向の位置が確定される請求項６又は７に記載の室内機の付加装置。
【請求項９】
前記第１被係合部は、前記被取付部に形成された穴であって、前記取付部において前記吹出グリルの前面から背面へ向かう方向へ突出する突起部が挿入される穴である請求項８に記載の室内機の付加装置。
【請求項１０】
前記取付部に設けられた第２係合部と係合する第２被係合部を有しており、
前記付加装置が前記取付部に取り付けられるとき、前記第２被係合部が前記第２係合部と係合することにより、前記保持部材の下方向へのずれが抑制される請求項６〜９のいずれか一項に記載の室内機の付加装置。
【請求項１１】
前記第２被係合部は、前記付加装置において外側に向かって突出する爪であって、前記第２係合部に形成されている凹部に係合する爪である請求項１０に記載の室内機の付加装置。
【請求項１２】
前記反対側の面において、前記被取付部が設けられている端部と前記被取付部が設けられていない端部との間に延びる補強部材を有し、
前記爪は、前記補強部材に設けられている請求項１１に記載の室内機の付加装置。
【請求項１３】
吹出口に設けられる吹出グリルと、
前記吹出グリルに取り付けられている付加装置とを備え、
前記吹出グリルは、枠体と、前記枠体の前面に設けられ、第１意匠面を有する意匠部材と、前記付加装置が取り付けられている少なくとも１つの取付部とを有し、
前記付加装置は、前記取付部に取り付けられる少なくとも１つの被取付部と、第２意匠面とを有し、
前記取付部は前記意匠部材の裏面の端部の一部に設けられており、
前記第１意匠面と前記第２意匠面とで前記吹出グリルの意匠面が形成され、
前記付加装置は、空調制御のために用いられるセンサと、前記センサを保持し、前記第２意匠面を有する保持部材とを含み、
前記被取付部は前記保持部材において、前記第２意匠面と反対側の面に設けられている空気調和機の室内機。
【請求項１４】
前記付加装置が前記取付部に取り付けられた状態において、前記第１意匠面と前記第２意匠面は同一平面を形成している請求項１３に記載の空気調和機の室内機。
【請求項１５】
前記第１意匠面の上下方向の長さと前記第２意匠面の上下方向の長さは同一である請求項１３又は１４に記載の空気調和機の室内機。
【国際調査報告】
2020240849.tif 000022
2020240849.tif 000023
2020240849.tif 000024
2020240849.tif 000025
2020240849.tif 000026
2020240849.tif 000027